(57)【要約】【課題】  内開きドアを備えた多数のブースが連接・整列して設けられた大型の集合トイレにおいて、多数のブースのうちから使用中のブースが一見して判別できるようにする【解決方法】  ブース入口のドアが、ブース入口幅より少し幅広で、かつ中央部を外側へ凸に湾曲させてなり、その一方の側縁部が複数の蝶番を介してブース入口の一方側の内壁面側端部近傍に内側へ向かって開くよう装着され、また、前記ドアが閉じられたとき同ドアの他の側縁部がブース入口の他の側の内壁面側端部近傍に当接してブースの外側には開かないように設けられてなり、さらに前記ドアの中央部の外側へ凸に湾曲した部分がブース入口の外壁から外側へ突出するよう構成することによる。【選択図】  図１
2008202288.tif 000002
【特許請求の範囲】
【請求項１】
高速道路のサービスエリアやパーキングエリア、駅、ショッピングセンター、各種学校など、多数の人々が利用する、ブースの多数が連接・整列して設けられてなる集合トイレにおいて、
各ブースのドアが、ブースの入口幅よりも少し幅広であって、かつ各ドアの中央部を外側に凸へ湾曲させてなり、その一方の側縁部が複数の蝶番を介してブース入口の一方側の内壁の側端部近傍に内側へ向かって開くよう装着され、また、前記ドアが閉じられたとき同ドアの他の側縁部がブース入口の他方側の内壁面の側端部近傍に当接してブースの外側には開かないように設けられてなり、さらに前記ドアの中央部の外側へ凸に湾曲した部分がブース入口の外壁から外側に突出するよう構成され、前記連接・整列した多数のブースの入口を一覧できる地点から使用中のブースを一見して判別できるようにしてなることを特徴とする集合トイレ。
【請求項２】
前記ドアの中央部の外側へ凸に湾曲した部分が、円筒体の一部壁形状に形成されてなることを特徴とする請求項１に記載の集合トイレ。
【請求項３】
前記ドアの中央部の外側へ凸に湾曲した部分が、球面状に形成されてなることを特徴とする請求項１に記載の集合トイレ。
【請求項４】
前記ブースの内壁にブース使用中にドアをロックするラッチ錠が備えられてなり、前記ラッチ錠によってドアがロックされていないときには、蝶番に備えた螺旋バネ等の付勢手段を備えたドア開放機構によってドアがブースの内側へ開き、前記ドアの入り口内壁面の側端部近傍に当接する側のドアの側縁部近傍内側に設置された戸当たりフックがブースの隔壁に当接して静止するよう構成されてなることを特徴とする請求項１〜３のいずれか１項に記載の集合トイレ。
【請求項５】
ドア及び／又はブース隔壁を構成する板材がメラミン系フェノール樹脂板であることを特徴とする請求項１〜４のいずれか１項に記載の集合トイレ。
【発明の詳細な説明】
【技術分野】
【０００１】
高速道路のサービスエリアやパーキングエリア、駅、ショッピングセンター、各種学校など、多数の人々が利用する、多数のブースが連接・整列して設けられてなる集合トイレにおいて、前記連接・整列した多数のブースのうちから使用中のブースが一見して判別できるようにしてなる集合トイレに関する。
【背景技術】
【０００２】
高速道路のサービスエリアやパーキングエリアなどに設置された広くて多数のブースが連接・整列されてなる集合トイレの中には、該集合トイレの入口に個々のブースが使用中か空き室かの区別を示す案内板が備え付けられている場所もあるが、使用者も多いことから、一般的には空き室のブースを素早く探し出すのは容易ではない。
また、集合トイレ入口の案内板に和式、洋式の別、使用中か否かが分かりやすく表示されていても、広い集合トイレではそのブースにたどり着くまでに時間がかかるので、表示が空き室の場合でも到着したときに使用中ということもあり、使用中か否かをそのブースにおいて確かめる必要がある。
しかし、高速道路のサービスエリアやパーキングエリアなどの集合トイレは、図４に示すように、多数のブース１１が連接・整列して設けられており、ブース入口を閉ざすドア１３は平面状をなし、内側に開く構造であり、使用中はドア１３が閉じられ、空き室のときにはドア１３がブース内側に引き込まれるので、ブースの入口が一覧できる地点から前記多数のブースのドア１３を一見し、ドアが見えるか否かで使用中のブース１１ａか空き室のブース１１ｂかを判断することになるが、遠くのブースのドアの開閉を一目で見分けることは容易ではない。
【０００３】
そこで、ブースが使用中であるか否かを分かりやすくするために、ブースのドアを外側に凸となる平面円弧状とする発明や考案が、下記の特許文献１ないし１２に記載、公示されている。
下記特許文献１の発明は、トイレ内外のスペースをとることなく開閉可能で、閉扉状態の扉がわかり易いトイレとして、トイレ室の内壁面にほぼ沿うように移動可能に取り付けられた扉が、ヒンジで連結された第１の扉部と第２の扉部とからなり、前記第１の扉部と第２の扉部は前面が凸となる平面視円弧状であることを特徴としたものである。
また特許文献２ないし１２の発明や考案は、トイレのドアとして円弧状の曲面ドア、スライドアレイドア、回転ドアを使用するものであって、ガイドローラやレール、回転軸などに保持され、開閉される機構となっている。
【特許文献１】特開平６−３０６９０９号公報
【特許文献２】特開２０００−１３００３４号公報
【特許文献３】特開２０００−１２０３２３号公報
【特許文献４】特開平１１−７１９２３号公報
【特許文献５】特開平１１−７１９２１号公報
【特許文献６】特開平１０−２２００９６号公報
【特許文献７】特開平１０−２１２８６０号公報
【特許文献８】特開平１０−２１２８５８号公報
【特許文献９】特開平１０−２１２８５７号公報
【特許文献１０】特許第３３１０７４９号公報
【特許文献１１】実用登録第３０２０４２７号公報
【特許文献１２】実用登録第３００６５１５号公報
【発明の開示】
【発明が解決しようとする課題】
【０００４】
高速道路のサービスエリアやパーキングエリア、各種学校、ショッピングセンタ、駅、イベント会場、映画館、音楽ホール、講演会場などの多数のブースが連接・整列して設けられた集合トイレは、多数の人々が使用するものであり、たとえ乱暴に扱っても故障の心配がなく、保守・管理が容易で、使用方法が分かりやすく、かつ堅牢な構造であることが望まれる。前記ブースのドアについても例外ではない。
しかし、上記の特許文献１ないし１２に記載された前面が外側に凸となる円弧状のドアは、いずれもその装着・開閉がガイドローラやレール、回転軸など蝶番に比べて複雑な機構で行われることから、乱暴な扱いによって故障するおそれがある。
本発明は、上記集合トイレのブース入口のドアの問題点に鑑み、多少乱暴に扱っても故障しにくく、空室のブースを遠方からでも一目で見分けられる構造のドアを備えた、保守・管理が容易で使用方法がわかりやすく堅牢な構造の集合トイレを提供するものである。
【課題を解決するための手段】
【０００５】
本発明者等は上記課題を下記の手段により解決した。
（１）高速道路のサービスエリアやパーキングエリア、駅、ショッピングセンター、各種学校など、多数の人々が利用する、ブースの多数が連接・整列して設けられてなる集合トイレにおいて、
各ブースのドアが、ブースの入口幅よりも少し幅広であって、かつ各ドアの中央部を外側に凸へ湾曲させてなり、その一方の側縁部が複数の蝶番を介してブース入口の一方側の内壁の側端部近傍に内側へ向かって開くよう装着され、また、前記ドアが閉じられたとき同ドアの他の側縁部がブース入口の他方側の内壁面の側端部近傍に当接してブースの外側には開かないように設けられてなり、さらに前記ドアの中央部の外側へ凸に湾曲した部分がブース入口の外壁から外側に突出するよう構成され、前記連接・整列した多数のブースの入口を一覧できる地点から使用中のブースを一見して判別できるようにしてなることを特徴とする集合トイレ。
（２）前記ドアの中央部の外側へ凸に湾曲した部分が、円筒体の一部壁形状に形成されてなることを特徴とする前項（１）に記載の集合トイレ。
（３）前記ドアの中央部の外側へ凸に湾曲した部分が、球面状に形成されてなることを特徴とする前項（１）に記載の集合トイレ。
（４）前記ブースの内壁にブース使用中にドアをロックするラッチ錠が備えられてなり、前記ラッチ錠によってドアがロックされていないときには、蝶番に備えた螺旋バネ等の付勢手段を備えたドア開放機構によってドアがブースの内側へ開き、前記ドアの入り口内壁面の側端部近傍に当接する側のドアの側縁部近傍内側に設置された戸当たりフックがブースの隔壁に当接して静止するよう構成されてなることを特徴とする前項（１）〜（３）のいずれか１項に記載の集合トイレ。
（５）ドア及び／又はブース隔壁を構成する板材が、メラミン系フェノール樹脂板であることを特徴とする前項（１）〜（４）のいずれか１項に記載の集合トイレ。
【発明の効果】
【０００６】
本発明の集合トイレにより下記の効果が発揮される。
〈１〉高速道路のサービスエリアやパーキングエリア、駅、ショッピングセンター、各種学校など、多数の人々が利用する、多数のブースが連接・整列してなる集合トイレにおいて、各ブースのドアがブース入口幅より少し幅広であって、かつ各ドアの中央部が外側へ凸に湾曲し、前記ドアが閉じられたとき同ドアの中央部の外側へ凸に湾曲した部分がブース入口の外壁から外側に突出するよう構成されているので、前記連接・整列した多数のブースの入口が一覧できる地点から使用中のブースが一見して判別でき、空き室のブースが容易に見つかり、利用者の利便が高まる。
〈２〉前記ドアの中央部の外側へ凸に湾曲した部分が、円筒体の一部壁形状又は球面状に形成されているので、ブース内の容積が拡がるとともに、ブースの外見が柔らかな景観をなし、優れた意匠性を備えた集合トイレを構築できる。
〈３〉前記ドアの一方の側縁部がブース入口の一方側の内壁の側端部近傍に蝶番によってブースの内側へ向かって開くよう装着され、また、前記ドアが閉じられたとき同ドアの他の側縁部がブース入口の他方側の内壁面の側端部近傍に当接してブースの外側には開かないように設けられているので、突然ドアが外側に開いてドアの外にいる人に危害を加えるおそれがない。
〈４〉またドアの側縁部分とブース入口の内壁面側端部近傍とが重なるので、ドアとブース内壁面側端部近傍との間に１０〜１５ｍｍの間隙を設けても、内部を覗かれるおそれがなく、ドアの開閉の際に指や物が挟まれる危険を除くことができ、特に幼児の安全対策として有効である。
〈５〉ドアの開閉が、従来の平板なドアと同様に蝶番によってなされるので、多少乱暴に扱っても故障しにくく、保守・管理が容易で、使用方法が分かりやすく、堅牢な集合トイレが得られる。
〈６〉前記ブースの内壁に使用中にドアをロックするラッチ錠が備えられてなり、前記ラッチ錠によってドアがロックされていないときには、蝶番に備えた螺旋バネ等の付勢手段を備えたドア開放機構によってドアがブースの内側へ開き、前記ドアの入口内壁面の側端部近傍に当接する側のドアの側縁部近傍内側に設置された戸当たりフックがブースの隔壁に当接して静止するよう構成されているので  空き室ブースのドアが確実に内側に開き、使用中のブースと空き室ブースとの判別がより明確にでき、利用者の利便向上に役立つ。
〈７〉ドア及びブース隔壁が、メラミン樹脂の表層材とフェノール樹脂の芯材を高温で一体成形したメラミン系フェノール樹脂板で構成されているので、耐衝撃性、耐水性、耐熱性、耐薬品性に優れている。
すなわち、耐衝撃性においてはドアや隔壁を蹴飛ばしたり傘で突いたりした場合でも割れや穴が生じるおそれはなく、耐水性においては従来用いられてきたベニヤ板やＭＤＦ・バーチクルハニカムを芯材にしたメラミン化粧板に存在した水を含んで腐食するという問題は、高温で一体化したメラミン系フェノール板では全く見られない。
また、耐熱性においてはタバコの熱程度では問題がなく、表面にこげ後が付く程度であれば水洗いすれば元どうりになり、さらに耐薬品性においては、酸性、塩基性、中性のいずれの薬品にも強く、洗剤や消毒剤の使用が可能であり、尿が便器外に漏れても尿中のアンモニアに犯される心配がない。
したがって、保守・管理が容易で、清潔・衛生的な、しかも堅牢な集合トイレが得られる。
【発明を実施するための最良の形態】
【０００７】
本発明の集合トイレを実施するための形態を、実施例の図に基づいて説明する。
図１は本発明の集合トイレブースの配置例を示す平面図、図２は本発明の集合トイレの洋式便器を備えたブースの構成図、図３は本発明の集合トイレのドア外側の斜視図である。
図において１は洋式便器を備えたブース、１ａは使用中の洋式便器を備えたブース、１ｂは空き室の洋式便器を備えたブース、１’は和式便器を備えたブース、１’ａは使用中の和式便器を備えたブース、１’ｂは空き室の和式便器を備えたブースであり、２は蝶番、３はドア、３ａはドア中央部の外に凸に湾曲した部分、４は戸当たりフック、５はラッチ錠、６は便器、７は隔壁、８は空隙、１０はブース入口を示す。
本発明の集合トイレの洋式便器を備えたブース１には、図２に示すように、ブースの入口幅より少し幅広であって、かつドアの中央部３ａを外側へ凸に湾曲させてなるドア３が、その一方の側縁部がブース入口１０の一方側の内壁面側端部近傍に複数の蝶番２によってブース１の内側へ向かって開くよう装着され、また、前記ドア３が閉じられたとき同ドア３の他の側縁部がブース入口１０の他の側の内壁面側端部近傍に当接してブース１の外側には開かないように設けられてなり、さらに前記ドアの中央部の外側へ凸に湾曲した部分３ａがブース入口１０の外壁から外側に突出するようになされている。
そして、前記ドア３の前記ブース入口１０の内壁面縁端部近傍に当接する側の側縁部近傍内側には戸当たりフック４が配設され、ドア３を開いたとき前記戸当たりフック４がブース１の隔壁７に当接して静止するようになされている。
また、前記ブース１内には、使用中に閉じられたドア３に施錠するラッチ錠５が備えられている。
【０００８】
ブース１のドア３は、ブース入口１０の幅より少し幅広なので、ドア３の縁端部とブース入口１０の内壁面縁端部近傍とが重なり、ドアの側縁部とブース内壁面側端部近傍との間に１０〜１５ｍｍの間隙８を設けても、ブース内部を覗かれるおそれはなく、むしろドア３を閉じる際に指や物が挟まれ、強い圧迫によって怪我をしたり、破損したりする危険が除かれることから、ブース入口１０の両側の壁面を面取りするとともに、前記ドア３の両側縁部とブース入口１０の内壁面側端部近傍との間に間隙８を設けておくことも好ましい。
また、ドア３を内側に開いたとき、ドア３の回転に伴う円弧内に便器６が入らないようにしておくことも、ドア３と便器６とが衝突するのを防止する意味で重要になる。
【０００９】
集合トイレは、多数の人々が使用することから、多少乱暴に扱っても故障の心配がなく、清掃や消毒など日常の保守・管理が容易で、堅牢な構造のものであることが望まれる。
したがって、ドア３及び／又はブース１の隔壁７を、メラミン樹脂の表層材とフェノール樹脂の芯材とを高温で一体化したメラミン樹脂系フェノール樹脂板で構成し、耐衝撃性、耐水性、耐熱性、耐薬品性に優れたものとし、衝撃による破損、タバコの火による焼損、便器外への尿の飛散による腐食などを防止するとともに、水洗いや洗剤、消毒剤の使用を可能とし、清潔で衛生的な集合トイレを実現している。
【００１０】
高速道路のサービスエリアやパーキングエリアなどに設置される大型の集合トイレには、図１に見られるように、洋式便器を備えたブース１だけでなく和式便器を備えたブース１’も多数備えられている。
これら和式便器を備えたブース１’については、図２によって説明した洋式便器を備えたブース１の便器６が和式に変わり、それに伴うスペースが変化している以外、ドア３の構造をはじめとしてドア３及び隔壁７の素材などは全て洋式便器を備えたブース１と同じである。
したがって、図１に示した本発明の集合トイレでは、洋式便器を備えたブース１も和式便器を備えたブース１’もドア３が閉じられた使用中のブース１ａ，１’ａでは、外側へ凸に湾曲したドアの中央部分３ａがブース入口１０の外壁の外側に突出しているのが見られ、ドア３が開かれた空き室のブース１ｂ、１’ｂでは前記外側へ凸に湾曲したドアの中央部分３ａが見られないので、図４に示す従来の平面状のドア１３を備えたブース１１が多数連接・整列する集合トイレで使用中のブース１１ａと空き室のブース１１ｂとをドア１３の開閉によって判断するのに比べて、より遠くの地点からブース１、１’の使用状態を確実に把握すでき、使用者の利便向上が図れる。
【００１１】
本発明の集合トイレの中央部が外側へ凸に湾曲したドア３は、図３（ａ）に示すように円筒体の一部壁形状をしたものと、図３（ｂ）に示す楕円球面状に形成したものとが考えられ、いずれもブース内部の容積を拡げられる効果とともに、ブースの外観を柔らかくし、優れた意匠性を備えた集合トイレが構築できる。
【図面の簡単な説明】
【００１２】
【図１】本発明の集合トイレブースの配置例を示す平面図
【図２】本発明の洋式便器を備えたブースの平面図
【図３】本発明の集合トイレのドア外側の斜視図
【図４】従来の集合トイレのブースの配列例を示す平面図
【符号の説明】
【００１３】
１：洋式便器を備えたブース
１ａ：使用中の洋式便器を備えたブース
１ｂ：空き室の洋式便器を備えたブース
１’：和式便器を備えたブース
１’ａ：使用中の和式便器を備えたブース
１’ｂ：空き室の和式便器を備えたブース
２：蝶番
３：ドア
３ａ：外側に凸に湾曲したドア中央部分
４：戸当たりフック
５：ラッチ錠
６：便器
７：隔壁
８：間隙
１０：ブース入口
１１：従来のブース
１１ａ：使用中の従来ブース
１１ｂ：空き室の従来ブース
１３：平面状のドア
【図１】
2008202288.tif 000003
【図２】
2008202288.tif 000004
【図３】
2008202288.tif 000005
【図４】
2008202288.tif 000006